(57)【要約】【課題】  本発明では、フィルターエレメントにより夾雑物を捕集して、液状物から夾雑物を除去した後、洗浄により、フィルターエレメントから夾雑物を充分に除去することができるようにすることを目的とする。【解決手段】  本発明は、第１通流口５および第２通流口４を備えたハウジング３と、ハウジング３内に設けられ、流入した液状物から該液状物中の夾雑物を除去し、一面側１８およびその反対面側１９を有するフィルターエレメントと、を備え、流入させた洗浄液を、フィルターエレメント８の一面側１８から反対面側１９を通過させて、排出する第１洗浄状態と、流入させた洗浄液を、フィルターエレメント８の反対面側１９から一面側１８を通過させて、排出させる第２洗浄状態とを切り換える機能を有することを特徴とするフィルター装置１である。【選択図】  図１
2005034812.tif 000002
【特許請求の範囲】
【請求項１】
液状物の第１通流口および第２通流口を備えたハウジングと、
前記ハウジング内に設けられ、前記第１通流口または前記第２通流口より流入した液状物から該液状物中の夾雑物を除去し、一面側およびその反対面側を有するフィルターエレメントと、を備え、
前記第１通流口または前記第２通流口から流入させた洗浄液を、前記フィルターエレメントの前記一面側から前記反対面側を通過させて、前記第１通流口および前記第２通流口のうち洗浄液を流入させた通流口以外の通流口から排出する第１洗浄状態と、前記第１通流口または前記第２通流口から流入させた洗浄液を、前記フィルターエレメントの前記反対面側から前記一面側を通過させて、前記第１通流口および前記第２通流口のうち洗浄液を流入させた通流口以外の通流口から排出させる第２洗浄状態とを切り換える機能を有することを特徴とするフィルター装置。
【請求項２】
液状物の第１通流口及び第２通流口を備えたハウジングと、
このハウジング内に確保されたフィルター収納室に収納され、前記第１通流口から前記ハウジング内に流入した液状物から該液状物中の夾雑物を除去する筒状のフィルターエレメントと、
このフィルターエレメントに該フィルターエレメントの軸方向に沿わせて内挿された軸体を駆動することで、前記フィルターエレメントを前記フィルター収納室内で移動させるフィルター駆動機構とを有し、
前記フィルター収納室には、前記ハウジングの前記第１通流口を経由して液状物が流入される第１通流口側開口部と、該フィルター収納室内に流入した液状物を前記ハウジングの前記第２通流口へ流出させる第２通流口側開口部とが、該フィルター収納室内壁面の対向する位置に開口されており、
前記フィルターエレメントは、該フィルターエレメントの軸方向一方の端部である第１通流口側開口端部が前記フィルター収納室の第１通流口側開口部の側、軸方向他方の端部である第２通流口側開口端部が前記フィルター収納室の第２通流口側開口部の側となる向きとし、しかも、その外周面と前記フィルター収納室内壁面との間に液状物が流入可能な隙間である液流入空間を確保して前記フィルター収納室に収納されており、
前記フィルター駆動機構の前記軸体には、該軸体が前記フィルター収納室の第２通流口側開口部の側に移動されることで前記フィルターエレメントに前記フィルター収納室の第１通流口側開口部の側から押し付けられて、前記フィルターエレメントの前記第１通流口側開口端部における開口部である第１通流口側フィルター開口部を塞ぐ第１通流口側弁体と、該軸体が前記フィルター収納室の第１通流口側開口部の側に移動されることで前記フィルターエレメントに前記フィルター収納室の第２通流口側開口部の側から押し付けられて、前記フィルターエレメントの前記第２通流口側開口端部における開口部である第２通流口側フィルター開口部を塞ぐ第２通流口側弁体とが取り付けられており、しかも、前記第１通流口側弁体が前記第１通流口側フィルター開口部を塞いでいるときは、前記第２通流口側弁体は前記第２通流口側フィルター開口部から離脱されて前記第２通流口側フィルター開口部を開放し、前記第２通流口側弁体が前記第２通流口側フィルター開口部を塞いでいるときは、前記第１通流口側弁体は前記第１通流口側フィルター開口部から離脱されて前記第１通流口側フィルター開口部を開放するようになっており、
前記フィルター駆動機構は、前記フィルター収納室の第２通流口側開口部の側へ前記軸体を移動することで、前記フィルターエレメントを、前記フィルター収納室の第１通流口側開口部の側の内壁面から離隔させ、かつ、該フィルターエレメントの前記第２通流口側開口端部を前記第２通流口側開口部の周囲のフィルター収納室内壁面に突き当てた第１洗浄位置と、前記フィルター収納室の第１通流口側開口部の側へ前記軸体を移動することで、前記フィルターエレメントを、前記フィルター収納室の第２通流口側開口部の側の内壁面から離隔させ、かつ、該フィルターエレメントの前記第１通流口側開口端部を前記第１通流口側開口部の周囲のフィルター収納室内壁面に突き当てた第２洗浄位置とに、前記フィルター収納室内におけるフィルターエレメントの位置の切り換えることができ、
前記フィルターエレメントの位置を第１洗浄位置とすると、前記第１通流口側フィルター開口部が前記第１通流口側弁体によって塞がれるとともに、前記フィルター収納室の前記第２通流口側開口部が前記フィルターエレメントの第２通流口側開口端部によって取り囲まれ、開放状態にある第２通流口側フィルター開口部と前記第２通流口側開口部とが連通された状態となるため、前記ハウジングの第１通流口から流入させた洗浄液を、前記フィルター収納室の第１通流口側開口部から前記液流入空間へ流入させて前記フィルターエレメントに対して外側から内側へ透過させ、前記第２通流口側フィルター開口部から前記第２通流口側開口部を経由して前記ハウジングの第２通流口から流出させる第１洗浄を行え、
前記フィルターエレメントの位置を第２洗浄位置とすると、前記第２通流口側フィルター開口部が前記第２通流口側弁体によって塞がれるとともに、前記フィルター収納室の前記第１通流口側開口部が前記フィルターエレメントの第１通流口側開口端部によって取り囲まれ、開放状態にある第１通流口側フィルター開口部と前記第１通流口側開口部とが連通された状態となるため、前記ハウジングの第１通流口から流入させた洗浄液を、前記フィルター収納室の第１通流口側開口部から前記第１通流口側フィルター開口部を介して前記フィルターエレメント内へ流入させて、フィルターエレメントに対して該フィルターエレメントの内側から外側の前記液流入空間へ透過させ、前記液流入空間から前記フィルター収納室の前記第２通流口側開口部を経由して前記ハウジングの第２通流口から流出させる第２洗浄を行えるようになっていることを特徴とするフィルター装置。
【発明の詳細な説明】
【技術分野】
【０００１】
本発明は、液体食品等の液状物から夾雑物を除去するためのフィルター装置に関し、特に、フィルターエレメントにより液状物から夾雑物を除去した後、洗浄により、フィルターエレメントから充分に夾雑物を除去することができるフィルター装置に関するものである。
【背景技術】
【０００２】
従来から、金網、焼結金属、金属線等を螺旋状に巻いて筒状または円錐状に加工したフィルターエレメントをハウジング内に収めたフィルター装置を使用し、清涼飲料水、牛乳、アルコール飲料等の液体食品を、フィルターエレメントの外側から内側に向けて通すことで、液体食品内の異物や未溶解物等の夾雑物を、フィルターエレメントの外側に付着させることで、補集する技術が知られている。
【０００３】
このフィルター装置を含む製造ラインは、液体食品を処理した後、その衛生性を確保するため、製造ラインを分解せず洗浄液を流すことによって洗浄を行う、いわゆる定置洗浄といわれる技術が利用され、この定置洗浄においては同時にフィルター装置に捕集された夾雑物を除去することも目的とされているが、一般的に定置洗浄においては、洗浄液を流す方向は液体食品を流す方向と同一であるため、即ち、液体食品をフィルターエレメントの外側から内側に向けて流した場合は、洗浄液もフィルターエレメントの外側から内側に向けて流すことが多いため、夾雑物は、洗浄液を溶解するような一部のものしか、フィルターエレメントを通過せず、その大部分はフィルターエレメントに付着したままとなり、従って、この夾雑物を確実に除去するため、フィルター装置を分解してフィルターエレメントを取り出して、洗浄する必要があった。
【０００４】
また、従来技術として、フィルターエレメントに対して、液体食品を透過させる方向と逆方向、即ち、フィルターエレメントの内側から外側へ洗浄液を流して、フィルターエレメントから夾雑物を除去する技術が知られている（例えば、特許文献１等参照）。
【特許文献１】特開平１１−１０４４１２号公報
【発明の開示】
【発明が解決しようとする課題】
【０００５】
しかしながら、この従来技術では、フィルターエレメントの内側から外側へ向けて洗浄液を流し込むため、洗浄液中の夾雑物がフィルターエレメントの濾液側（内面側）に付着し、再度、液体食品をフィルター装置に流入させた場合、液体食品に、フィルターエレメント内側に付着している夾雑物が移行する恐れがあった。これを解決するため、更に、別のフィルター装置を設置することも考えられるが、これでは、多数を管理する手間が掛かる上、コストも高く付くといった問題がある。
【０００６】
本発明は、このような問題点に鑑みてなされたものであり、フィルターエレメントにより液状物から夾雑物を除去した後、洗浄により、フィルターエレメントから充分に夾雑物を除去することができるフィルター装置を提供することを目的とする。
【課題を解決するための手段】
【０００７】
本発明は、液状物の第１通流口および第２通流口を備えたハウジングと、
前記ハウジング内に設けられ、前記第１通流口または前記第２通流口より流入した液状物から該液状物中の夾雑物を除去し、一面側およびその反対面側を有するフィルターエレメントと、を備え、
前記第１通流口または前記第２通流口から流入させた洗浄液を、前記フィルターエレメントの前記一面側から前記反対面側を通過させて、前記第１通流口および前記第２通流口のうち洗浄液を流入させた通流口以外の通流口から排出する第１洗浄状態と、前記第１通流口または前記第２通流口から流入させた洗浄液を、前記フィルターエレメントの前記反対面側から前記一面側を通過させて、前記第１通流口および前記第２通流口のうち洗浄液を流入させた通流口以外の通流口から排出させる第２洗浄状態とを切り換える機能を有することを特徴とするフィルター装置である。
【０００８】
また、本発明は、液状物の第１通流口及び第２通流口を備えたハウジングと、
このハウジング内に確保されたフィルター収納室に収納され、前記第１通流口から前記ハウジング内に流入した液状物から該液状物中の夾雑物を除去する筒状のフィルターエレメントと、
このフィルターエレメントに該フィルターエレメントの軸方向に沿わせて内挿された軸体を駆動することで、前記フィルターエレメントを前記フィルター収納室内で移動させるフィルター駆動機構とを有し、
前記フィルター収納室には、前記ハウジングの前記第１通流口を経由して液状物が流入される第１通流口側開口部と、該フィルター収納室内に流入した液状物を前記ハウジングの前記第２通流口へ流出させる第２通流口側開口部とが、該フィルター収納室内壁面の対向する位置に開口されており、
前記フィルターエレメントは、該フィルターエレメントの軸方向一方の端部である第１通流口側開口端部が前記フィルター収納室の第１通流口側開口部の側、軸方向他方の端部である第２通流口側開口端部が前記フィルター収納室の第２通流口側開口部の側となる向きとし、しかも、その外周面と前記フィルター収納室内壁面との間に液状物が流入可能な隙間である液流入空間を確保して前記フィルター収納室に収納されており、
前記フィルター駆動機構の前記軸体には、該軸体が前記フィルター収納室の第２通流口側開口部の側に移動されることで前記フィルターエレメントに前記フィルター収納室の第１通流口側開口部の側から押し付けられて、前記フィルターエレメントの前記第１通流口側開口端部における開口部である第１通流口側フィルター開口部を塞ぐ第１通流口側弁体と、該軸体が前記フィルター収納室の第１通流口側開口部の側に移動されることで前記フィルターエレメントに前記フィルター収納室の第２通流口側開口部の側から押し付けられて、前記フィルターエレメントの前記第２通流口側開口端部における開口部である第２通流口側フィルター開口部を塞ぐ第２通流口側弁体とが取り付けられており、しかも、前記第１通流口側弁体が前記第１通流口側フィルター開口部を塞いでいるときは、前記第２通流口側弁体は前記第２通流口側フィルター開口部から離脱されて前記第２通流口側フィルター開口部を開放し、前記第２通流口側弁体が前記第２通流口側フィルター開口部を塞いでいるときは、前記第１通流口側弁体は前記第１通流口側フィルター開口部から離脱されて前記第１通流口側フィルター開口部を開放するようになっており、
前記フィルター駆動機構は、前記フィルター収納室の第２通流口側開口部の側へ前記軸体を移動することで、前記フィルターエレメントを、前記フィルター収納室の第１通流口側開口部の側の内壁面から離隔させ、かつ、該フィルターエレメントの前記第２通流口側開口端部を前記第２通流口側開口部の周囲のフィルター収納室内壁面に突き当てた第１洗浄位置と、前記フィルター収納室の第１通流口側開口部の側へ前記軸体を移動することで、前記フィルターエレメントを、前記フィルター収納室の第２通流口側開口部の側の内壁面から離隔させ、かつ、該フィルターエレメントの前記第１通流口側開口端部を前記第１通流口側開口部の周囲のフィルター収納室内壁面に突き当てた第２洗浄位置とに、前記フィルター収納室内におけるフィルターエレメントの位置の切り換えることができ、
前記フィルターエレメントの位置を第１洗浄位置とすると、前記第１通流口側フィルター開口部が前記第１通流口側弁体によって塞がれるとともに、前記フィルター収納室の前記第２通流口側開口部が前記フィルターエレメントの第２通流口側開口端部によって取り囲まれ、開放状態にある第２通流口側フィルター開口部と前記第２通流口側開口部とが連通された状態となるため、前記ハウジングの第１通流口から流入させた洗浄液を、前記フィルター収納室の第１通流口側開口部から前記液流入空間へ流入させて前記フィルターエレメントに対して外側から内側へ透過させ、前記第２通流口側フィルター開口部から前記第２通流口側開口部を経由して前記ハウジングの第２通流口から流出させる第１洗浄を行え、
前記フィルターエレメントの位置を第２洗浄位置とすると、前記第２通流口側フィルター開口部が前記第２通流口側弁体によって塞がれるとともに、前記フィルター収納室の前記第１通流口側開口部が前記フィルターエレメントの第１通流口側開口端部によって取り囲まれ、開放状態にある第１通流口側フィルター開口部と前記第１通流口側開口部とが連通された状態となるため、前記ハウジングの第１通流口から流入させた洗浄液を、前記フィルター収納室の第１通流口側開口部から前記第１通流口側フィルター開口部を介して前記フィルターエレメント内へ流入させて、フィルターエレメントに対して該フィルターエレメントの内側から外側の前記液流入空間へ透過させ、前記液流入空間から前記フィルター収納室の前記第２通流口側開口部を経由して前記ハウジングの第２通流口から流出させる第２洗浄を行えるようになっていることを特徴とするフィルター装置である。
【発明の効果】
【０００９】
以上、説明したように、本発明におけるフィルター装置によれば、フィルターエレメントにより夾雑物を捕集して、液状物から夾雑物を除去した後、フィルターエレメントを洗浄することにより、充分に夾雑物を除去することができる。
【発明を実施するための最良の形態】
【００１０】
以下、本発明の実施の形態によるフィルター装置１を、図面を参照して説明する。
図１、２は、本発明の実施の形態によるフィルター装置１を示す断面図である。
【００１１】
図１は、フィルター装置１における軸体２が、ハウジング３の出口（第２通流口）４方向に移動した状態におけるフィルター装置１を示す断面図であり、図２は、フィルター装置１における軸体２が、ハウジング３の入口（第１通流口）５方向に移動した状態におけるフィルター装置１を示す断面図である。
【００１２】
本発明の実施の形態によるフィルター装置１は、液状物の入口５及び出口４を備えたハウジング３と、ハウジング３内に確保されたフィルター収納室１２に収納され、入口５からハウジング３内に流入した液状物から液状物中の夾雑物を除去する筒状のフィルターエレメント８と、フィルターエレメント８にフィルターエレメント８の軸方向に沿わせて内挿された軸体２を駆動することで、フィルターエレメント８をフィルター収納室１２内で移動させるフィルター駆動機構２１とを備えている。
【００１３】
ハウジング３は、清涼飲料水、牛乳、アルコール飲料等の液体食品である液状物が流入する入口５を一端側に有すると共に、流入した液状物の出口４を他端側に有している。ハウジング３にはフィルター収納室１２が備えられており、フィルター収納室１２には、ハウジング３の入口５を経由して液状物が流入される入口側開口部（第１通流口側開口部）１３と、フィルター収納室１２内に流入した液状物をハウジング３の出口４へ流出させる出口側開口部（第２通流口側開口部）１４とが、フィルター収納室内壁面２０の対向する位置に開口されている。また、軸体を駆動させたときに入口側弁体（第１通流口側弁体）９を進入させるための空間である入口側駆動用空間（第１通流口側駆動用空間）２４と軸体を駆動させたときに出口側弁体（第２通流口側弁体）１０を進入させるための空間である出口側駆動用空間（第２通流口側駆動用空間）２５とを備えている。
【００１４】
フィルターエレメント８は、ハウジング３のフィルター収納室１２内に設けられており、金網、焼結金属、金属線等を螺旋状に巻いて筒状に加工したものである。フィルターエレメント８は、フィルターエレメント８の軸方向一方の端部である入口側開口端部（第１通流口側開口端部）６がフィルター収納室１２の入口側開口部１３の側、軸方向他方の端部である出口側開口端部（第２通流口側開口端部）７がフィルター収納室１２の出口側開口部１４の側となる向きとし、しかも、その外周面１５とフィルター収納室内壁面２０との間に液状物が流入可能な隙間である液流入空間１６を確保してフィルター収納室１２に収納されている。
【００１５】
フィルター駆動機構２１の軸体２は、棒状で、一端部がアクチュエーター１１に接続され、フィルターエレメント８内を軸方向に貫通しており、軸方向に移動可能となっている。また、軸体２におけるアクチュエーター１１の近傍であって、軸体２がハウジング３を貫通する箇所には、液漏れを防止するシール部材１７が嵌着されている。軸体２には、軸体２がフィルター収納室１２の出口側開口部１４の側に移動されることでフィルターエレメント８にフィルター収納室１２の入口側開口部１３の側から押し付けられて、フィルターエレメント８の入口側開口端部６における開口部である入口側フィルター開口部（第１通流口側フィルター開口部）２２を塞ぐ入口側弁体９と、軸体２がフィルター収納室１２の入口側開口部１３の側に移動されることでフィルターエレメント８にフィルター収納室１２の出口側開口部１４の側から押し付けられて、フィルターエレメント８の出口側開口端部７における開口部である出口側フィルター開口部（第２通流口側フィルター開口部）２３を塞ぐ出口側弁体１０とが取り付けられており、しかも、入口側弁体９が入口側フィルター開口部２２を塞いでいるときは、出口側弁体１０は出口側フィルター開口部２３から離脱されて出口側フィルター開口部２３を開放し、出口側弁体１０が出口側フィルター開口部２３を塞いでいるときは、入口側弁体９は入口側フィルター開口部２２から離脱されて入口側フィルター開口部２２を開放するようになっている。
【００１６】
フィルター駆動機構２１におけるフィルター駆動部としてのアクチュエーター１１は、軸体２の一端部を接続しており、軸体２を軸方向に移動させる。
フィルター駆動機構２１は、フィルター収納室１２の出口側開口部１４の側へ軸体２を移動することで、フィルターエレメント８を、フィルター収納室１２の入口側開口部１３の側の内壁面２０から離隔させ、かつ、フィルターエレメント８の出口側開口端部７を出口側開口部１４の周囲のフィルター収納室内壁面２０に突き当てた位置（以下、第１洗浄位置ということがある）と、フィルター収納室１２の入口側開口部１３の側へ軸体２を移動することで、フィルターエレメント８を、フィルター収納室１２の出口側開口部１４の側の内壁面２０から離隔させ、かつ、フィルターエレメント８の入口側開口端部６を入口側開口部１３の周囲のフィルター収納室内壁面２０に突き当てた位置（以下、第２洗浄位置ということがある）とに、フィルター収納室１２内におけるフィルターエレメント８の位置の切り換えることができる。
【００１７】
次に、発明の実施の形態に係るフィルター装置１による、液状体中の夾雑物の捕集は、フィルター装置１が図１における第１洗浄位置で行われる。
フィルターエレメント８の位置を第１洗浄位置とすると、入口側フィルター開口部２２が入口側弁体９によって塞がれるとともに、この入口側弁体９によって押圧されたフィルターエレメント８の出口側開口端部７が、フィルター収納室１２の出口側開口部１４の側の内壁面２０に押し付けられて、この出口側開口端部７によって、出口側開口部１４が取り囲まれ、開放状態にある出口側フィルター開口部２３と出口側開口部１４とが連通された状態となるため、ハウジング３の入口５から流入させた液状体を、フィルター収納室１２の入口側開口部１３から液流入空間１６へ流入させてフィルターエレメント８に対して外側１８から内側１９へ透過させて、外側１９で夾雑物を捕集し、出口側フィルター開口部２３から出口側開口部１４を経由してハウジング３の出口４から流出させることができる。
【００１８】
次に、発明の実施の形態によるフィルター装置１における、フィルターエレメント８を洗浄する機能について説明する。この洗浄は、フィルター駆動機構２１の駆動によって、順洗（後述）と逆洗（後述）とを切り替えることができる。
まず、アクチュエーター１１の動作によって軸体２をハウジング３の入口方向に移動させることにより、軸体２に設けられた出口側弁体１０がフィルターエレメント８の出口側開口端部７に外側から当接して、出口側フィルター開口部２３を塞ぐと共に、入口側弁体９が入口側開口端部６から外側に離間して、入口側フィルター開口部２２を開放した状態で、出口側弁体１０がフィルターエレメント８を入口５側へ向けて押し込んで、フィルターエレメント８の入口側開口端部６がハウジング３の入口側開口部１３の周囲のフィルター収納室内壁面２０に突き当てるまで移動させて、フィルター装置１を図２における状態（第２洗浄位置）とする。
【００１９】
この状態で、洗浄液をハウジング３の入口５から流入させると、洗浄液は、フィルター収納室１２の入口側開口部１３から入口側フィルター開口部２２を介してフィルターエレメント８内へ流入し、フィルターエレメント８に対してフィルターエレメント８の内側１９から外側１８の液流入空間１６へ透過させ、液流入空間１６からフィルター収納室１２の出口側開口部１４を経由してハウジング３の出口４から流出する逆洗を行う。これにより、フィルター部１４の外側１８に捕集されている夾雑物を洗い流すことができる。
尚、液状体からの夾雑物の捕集は、液状体をフィルターエレメント８に対して外側１８から内側１９へ透過させて行うのに対し、ここでの洗浄液による洗浄は、液状物が流れる経路とは逆に、洗浄液をフィルターエレメント８に対して内側１９から外側１８へ透過させて行うため、逆洗と定義される。
【００２０】
その後、アクチュエーター１１の動作によって軸体２をハウジング３の出口方向に移動させることにより、軸体２に設けられた入口側弁体９がフィルターエレメント８の入口側開口端部６に外側から当接して、入口側フィルター開口部２２を塞ぐと共に、出口側弁体１０が出口側開口端部７から外側に離間して、出口側フィルター開口部２３を開放した状態で、入口側弁体９がフィルターエレメント８を出口４側へ向けて押し込んで、フィルターエレメント８の出口側開口端部７がハウジング３の出口側開口部１４の周囲のフィルター収納室内壁面２０に突き当てるまで移動させて、フィルター装置１を図１における状態（第１洗浄位置）とする。
【００２１】
この状態で、洗浄液をハウジング３の入口５から流入させると、ハウジング３の入口５から流入させた洗浄液は、フィルター収納室１２の入口側開口部１３から液流入空間１６へ流入させてフィルターエレメント８に対して外側１８から内側１９へ透過させ、出口側フィルター開口部２３から出口側開口部１４を経由してハウジング３の出口４から流出する順洗を行う。これにより、フィルター部１４の内側１９に残留している夾雑物を洗い流すことができる。
尚、液状体からの夾雑物の捕集は、液状体をフィルターエレメント８に対して外側１８から内側１９へ透過させて行うが、ここでの洗浄液による洗浄も、液状物が流れる経路と同じく、洗浄液をフィルターエレメント８に対して外側１８から内側１９へ透過させて行うため、順洗と定義される。
【００２２】
以上のように、本発明の実施の形態においては、入口５から流入させた洗浄液を、フィルターエレメント８の外側（表面側、一面側）１８から内側（裏面側、反対面側）１９を通過させて、出口４から排出する第１洗浄状態と、入口５から流入させた洗浄液を、フィルターエレメント８の内側（裏面側）１９から外側（表面側）１８を通過させて、出口４から排出させる第２洗浄状態とを切り換える機能を有しているので、フィルターエレメント８により夾雑物を捕集して、液状物から夾雑物を除去した後、フィルターエレメント８を洗浄することにより、充分に夾雑物を除去することができる。
また、本発明の実施の形態においては、洗浄液が、入口５から流入し、出口４から排出するまでの経路を変更することにより、フィルターエレメント８の外側（表面側、一面側）１８および内側（裏面側、反対面側）１９に付着している夾雑物を、共に、洗い流すことができ、特に、アクチュエーター１１の動作によって軸体２をハウジング３の入口５側および出口４側へ移動することにより、フィルター部１４の内側１９および外側１８に付着している夾雑物を、共に、洗い流すことができる。
【００２３】
尚、上記発明の実施の形態において、液状物を入口（第１通流口）５から流入し、出口（第２通流口）４から流出させているが、これとは逆に、液状物を出口（第２通流口）４から流入し、入口（第１通流口）５から流出させるようにしても良い。
また、洗浄液についても、入口（第１通流口）５から流入し、出口（第２通流口）４から流出させているが、これとは逆に、液状物を出口（第２通流口）４から流入し、入口（第１通流口）５から流出させるようにしても良い。
また、上記発明の実施の形態において、液状体を、フィルターエレメント８に対して外側１８から内側１９へ透過させて、外側１８で夾雑物を捕集しているが、これとは逆に、液状体を、フィルターエレメント８に対して内側１９から外側１８へ透過させて、内側１９で夾雑物を捕集するようにしても良い。この場合、まず、洗浄液を、フィルターエレメント８に対して外側１８から内側１９へ透過させる逆洗を行った後に、洗浄液を、内側１９から外側１８へ透過させる順洗を行っても良い。
【図面の簡単な説明】
【００２４】
【図１】本発明の実施の形態としてのフィルター装置を示す断面図である。
【図２】本発明の実施の形態としてのフィルター装置を示す断面図である。
【符号の説明】
【００２５】
１・・・フィルター装置、    ２・・・軸体、    ３・・・ハウジング、    ４・・・出口（第２通流口）、    ５・・・入口（第１通流口）、    ６・・・入口側開口端部（第１通流口側開口端部）、    ７・・・出口側開口端部（第２通流口側開口端部）、    ８・・・フィルターエレメント、    ９・・・入口側弁体（第１通流口側弁体）、    １０・・・出口側弁体（第２通流口側側弁体）、    １１・・・アクチュエーター、    １２・・・フィルター収納室、    １３・・・入口側開口部（第１通流口側開口部）、    １４・・・出口側開口部（第２通流口側開口部）、    １５・・・外周面、    １６・・・液流入空間、    １７・・・シール部材、    １８・・・外側（表面側、一面側）、    １９・・・内側（裏面側、反対面側）、    ２０・・・フィルター収納室内壁面、    ２１・・・フィルター駆動機構、    ２２・・・入口側フィルター開口部（第１通流口側フィルター開口部）、    ２３・・・出口側フィルター開口部（第２通流口側フィルター開口部）、    ２４・・・入口側駆動用空間（第１通流口側駆動用空間）、    ２５・・・出口側駆動用空間（第２通流口側駆動用空間）
【図１】
2005034812.tif 000003
【図２】
2005034812.tif 000004